(57)【特許請求の範囲】
【請求項１】
３Ｄ−ＣＡＤモデルの電子データをインターネットを介して公開する電子データ公開システムであって、
前記電子データを保持するデータサーバと、
該データサーバに接続される第１モニタと、
該第１モニタの画面を撮像する第１カメラと、
該第１カメラに接続され、該第１カメラの撮像画像をインターネットを介して閲覧者に公開する公開サーバと、
前記閲覧者の要求操作をインターネットを介して受信する受信サーバと、
該受信サーバに接続され、前記要求操作をその画面に表示する第２モニタと、
該第２モニタの画面を撮像する第２カメラと、
該第２カメラに接続され、該第２カメラの撮像画像を画像処理して前記要求操作を判定する要求操作判定サーバと、を有し、
前記データサーバが前記要求操作判定サーバの判定に基づき、前記データサーバに保持された前記電子データを選択し、選択された電子データを前記第１モニタに表示することを特徴とする電子データ公開システム。
【発明の詳細な説明】
【技術分野】
【０００１】  本発明は、３Ｄ−ＣＡＤモデル等のデータをインターネットで公開するシステムに関するものである。
【背景技術】
【０００２】  従来から、３Ｄ−ＣＡＤモデル等のデータをインターネットなどのネットワークを介して閲覧者に閲覧可能にする、情報提供の利便性、簡便性に優れたシステムがある。
【先行技術文献】
【特許文献】
【０００３】
【特許文献１】特開平７−２９６０００号公報
【発明の概要】
【発明が解決しようとする課題】
【０００４】  特許文献１に記載されるように、ユーザ名およびパスワードを使用して、データへのアクセスを制限し、インターネットなどを介する意図しないデータ漏洩を防止するためのセキュリティ対策が従来から成されている。【０００５】  しかしながら、ユーザ名およびパスワードによるセキュリティ対策のみでは、データサーバに対するネットワークを利用した不正アクセスやウィルス攻撃などに抗する対策としては不十分であった。【０００６】  従って、本発明はセキュリティ対策に優れた電子データ公開システムを提供するものである。
【課題を解決するための手段】
【０００７】
上記目的を達成するために、請求項１に係る発明は、３Ｄ−ＣＡＤモデルの電子データをインターネットを介して公開する電子データ公開システムであって、前記電子データを保持するデータサーバと、該データサーバに接続される第１モニタと、該第１モニタの画面を撮像する第１カメラと、該第１カメラに接続され、該第１カメラの撮像画像をインターネットを介して閲覧者に公開する公開サーバと、前記閲覧者の要求操作をインターネットを介して受信する受信サーバと、該受信サーバに接続され、前記要求操作をその画面に表示する第２モニタと、該第２モニタの画面を撮像する第２カメラと、該第２カメラに接続され、該第２カメラの撮像画像を画像処理して前記要求操作を判定する要求操作判定サーバと、を有し、前記データサーバが前記要求操作判定サーバの判定に基づき、前記データサーバに保持された前記電子データを選択し、選択された電子データを前記第１モニタに表示することを特徴とする電子データ公開システムである。
【発明の効果】
【０００８】  本発明によれば、セキュリティ対策に優れた電子データ公開システムを得ることができる。
【図面の簡単な説明】
【０００９】
【図１】本発明の一実施例における電子データ公開システムの概略図である。
【図２】本発明の一実施例におけるデータ閲覧用モニタの画面である。
【図３】本発明の一実施例における第１モニタの画面である。
【図４】本発明の一実施例における第２モニタの画面である。
【発明を実施するための形態】
【００１０】  以下、本発明の実施例を説明する。まず、図１により本発明の一実施例である電子データ公開システムの構成を説明する。
【００１１】  図１において、閲覧者用コンピュータ３にはデータ閲覧用モニタ１および要求操作入力装置であるマウス２が接続されている。また、閲覧者用コンピュータ３は図示しないＬＡＮボードを介し、インターネット４にネットワーク接続されている。
【００１２】  インターネット４には公開サーバ９および受信サーバ５がＬＡＮボード（図示せず）を介して、それぞれネットワーク接続され、公開サーバ９には第１カメラ１０、受信サーバ５には第２モニタがそれぞれケーブルで接続されている。
【００１３】  ３Ｄ−モデル等の電子データを保持するデータサーバ１２には第１モニタ１１がケーブルで接続され、要求操作判定サーバ８には、第２カメラ７がケーブルで接続されている。そして、データサーバ１２と要求操作判定サーバ８はイントラネットを介し、接続されている。また、要求操作判定サーバ８には、第２カメラ７の撮像画像の画像処理を行う画像処理ボード（図示せず）が内蔵されており、公開サーバ９には、第１カメラ１０の撮像画像の伝送を行う画像処理ボード（図示せず）が内蔵されている。
【００１４】  次に、本発明の動作フローを詳細に説明する。まず、データ閲覧者は要求操作入力装置であるマウス２を操作し、閲覧者用コンピュータ３からインターネット４を介して公開サーバ９と受信サーバ５へのアクセス権を得る。この場合のアクセス権の認証は、データ閲覧用モニタ１の画面上に表示されるキーボードから、ユーザ名、パスワードを入力して行う。受信サーバ５にはデータ閲覧者からの要求操作をグラフィカル（図式的）に第２モニタ６に表示可能なプログラムが保持されている。
【００１５】  ここで、図２はデータ閲覧用モニタ１の表示画面の一例を示すものである。要求操作画面エリア２３には４つの指示ボタン２２が表示されていて、データ閲覧者がマウス２で指示ボタン２２をクリックすると、図４に示すように第２モニタ６の画面に要求操作画面エリア２３でクリックされた指示ボタン２２と同一形状の指示ボタン２２Ａが１秒間表示される。なお、表示は要求操作画面エリア２３で指示ボタン２２をクリックするごとに、第２モニタに表示される指示ボタン２２Ａは、１秒間表示（図４）された後、非表示となる。
【００１６】
第２モニタ６の画面は第２カメラ７で常時撮像されており、要求操作判定サーバ８に内蔵された画像処理ボードにより画像処理が行われる。前記の場合、要求操作判定サーバは閲覧者により右向き三角がクリックされたと判定する。なお、要求操作画面エリア２３には、図２のように上向き三角、下向き三角、右向き三角、左向き三角が表示されているが、本実施例では、それぞれ、上階層フォルダに移動、下階層フォルダに移動、次のファイルに移動、前のファイルに移動の操作が割り当てられている。なお、要求操作画面２３の下方に表示されるファイル名表示エリア２１に表示されるＡＢＣはフォルダ名、Ｓｑｕａｒe  Ｐｙｒａｍｉｄ１はファイル名を表している。
【００１７】
データサーバ１２は要求操作判定サーバ８の判定に基づき、データサーバ１２に保持された電子データを選択し、図３のように、該当する電子データを第１モニタ１１の画面に表示する。
【００１８】  第１モニタ１１の画面は第１カメラ１０で常時撮像されており、公開サーバ９に内蔵された画像処理ボードによりインターネット４を介して、閲覧者用コンピュータにデータが伝送される。なお、本実施例では、図２のようにデータ閲覧用モニタ１の画面上の電子データ表示画面１１Ａに第１モニタ１１の画面に表示されたデータが表示される。
【００１９】
以上のとおり、本発明においては閲覧者用コンピュータ１と電子データを保持するデータサーバ１２がネットワーク接続されていないため、データサーバ１２が悪意の閲覧者による不正アクセスやウィルスから保護され、セキュリティ対策に優れた電子データ公開システムを得ることができる。なお、本実施例においては、受信サーバ５と公開サーバ９を別サーバとしたが、両者の機能をひとつのサーバに集約しても良い。同様に、要求操作判定サーバ８とデータサーバ１２の機能をひとつのサーバに集約しても良い。その他、キーボードを入力装置とするなど、本発明の要旨を逸脱しない範囲で本発明を実施することができる。
【符号の説明】
【００２０】  １…データ閲覧用モニタ、２…マウス、３…閲覧者用コンピュータ、４…インターネット、５…受信サーバ、６…第２モニタ、７…第２カメラ、８…要求操作判定サーバ、９…公開サーバ、１０…第１カメラ、１１…第１モニタ、１２…データサーバ
【図１】
0005693370.tif 000002
【図２】
0005693370.tif 000003
【図３】
0005693370.tif 000004
【図４】
0005693370.tif 000005